(57)【要約】【課題】  カラープルーフにおいて印刷物に対する色調の相違を補正できるようにしたカラープルーフ作成方法及びプログラムを提供する。【解決手段】  網点画像データに基づいて記録媒体に露光することでカラープルーフを作成する際に、網点画像データにおいて同色Ａの領域を検出し、同色Ａの領域内の別の色Ｂの部分を検出し、色Ａと色Ｂとに基づいて色Ｂの部分に着色する更に別の色Ｃを決定し、色Ｂの部分に色Ｃを着色するように記録媒体を露光する。【選択図】  図５
2005091859.tif 000002
【特許請求の範囲】
【請求項１】
印刷物の校正のためのカラープルーフを作成する方法であって、
連続する色データの中に、別の色データまたは白地が存在する場合、前記別の色の部分または前記白地の部分に対して更に別の色を着色することで前記カラープルーフの色調を補正することを特徴とするカラープルーフ作成方法。
【請求項２】
網点画像データに基づいて記録媒体に露光することでカラープルーフを作成する方法であって、
前記網点画像データにおいて同色Ａの領域を検出するステップと、
前記同色Ａの領域内の別の色Ｂの部分を検出するステップと、
前記色Ａと前記色Ｂとに基づいて前記色Ｂの部分に着色する更に別の色Ｃを決定するステップと、
前記色Ｂの部分に前記色Ｃを着色するように前記記録媒体を露光するステップと、を含むことを特徴とするカラープルーフ作成方法。
【請求項３】
前記色Ｃを各種の色Ａと各種の色Ｂとの各関係毎に予め決定しておくことを特徴とする請求項２に記載のカラープルーフ作成方法。
【請求項４】
前記カラープルーフの作成は、前記網点画像データに基づいてＣ、Ｍ、Ｙ、Ｋの各色版毎に面順次露光することで行うか、または、Ｃ、Ｍ、Ｙ、Ｋの各色版の網点画像データに基づいて複数の光源によりほぼ同時に露光することで行うことを特徴とする請求項１，２または３に記載のカラープルーフ作成方法。
【請求項５】
網点画像データに基づいて記録媒体に露光することでカラープルーフを作成する画像記録装置が備えるコンピュータのためのプログラムであって、
前記網点画像データにおいて同色Ａの領域を検出するステップと、
前記同色Ａの領域内で別の色Ｂの部分を検出するステップと、
前記色Ａと前記色Ｂとに基づいて前記色Ｂの部分に着色する更に別の色Ｃを決定するステップと、
前記色Ｂの部分に前記色Ｃを着色するように前記記録媒体を露光するステップと、を前記コンピュータに実行させることを特徴とするプログラム。
【請求項６】
入力画像データに基づいてカラープルーフ作成のための網点画像データを生成するコンピュータのためのプログラムであって、
前記網点画像データを生成する際に同色Ａの領域を検出するステップと、
前記同色Ａの領域内で別の色Ｂの部分を検出するステップと、
前記色Ａと前記色Ｂとに基づいて前記色Ｂの部分に着色する更に別の色Ｃを決定するステップと、
前記色Ｂの部分に更に別の色Ｃを着色するように前記網点画像データを生成するステップと、
前記網点画像データを画像記録装置に出力するステップと、を前記コンピュータに実行させることを特徴とするプログラム。
【発明の詳細な説明】
【技術分野】
【０００１】
本発明は、網点画像データに基づいて波長の異なる複数の光源によって銀塩カラー感光材料を露光してカラープルーフを作成するカラープルーフ作成方法及びプログラムに関するものである。
【背景技術】
【０００２】
従来、カラー印刷物の校正のため校正物（カラープルーフ）を別途作成し、本番の印刷版を作成する前に印刷物の仕上がりを事前に確認している。このため、網点画像データ生成装置等のフロントシステムで多値画像データを網点化し２値画像データを生成し、この網点画像データに基づいて画像記録装置で例えば波長の異なる複数の光源によって銀塩カラー感光材料を露光してカラープルーフ（校正物）を作成している。このような画像記録装置では、Ｙ版、Ｍ版、Ｃ版及びＫ版に色分解された各色の組み合わせに対応するルックアップテーブル（ＬＵＴ）を設定し露光を行っており、露光光量を変化させることでカラープルーフの色調を補正していた（例えば、下記特許文献１参照）。
【０００３】
ところが、露光量を変化させ、色調補正を行う場合、露光量によって網点の面積が変化してしまい、印刷物に対し網点によるカラープルーフの色調がずれてしまう。このため、画像記録装置で作成したカラープルーフは、実際の印刷物と色調が相違することがあり、印刷物を充分に再現できない場合がある。
【特許文献１】特開平１１−２０５６２２号公報
【特許文献２】特開平１０−２６４４６３号公報
【発明の開示】
【発明が解決しようとする課題】
【０００４】
本発明は、上述のような従来技術の問題に鑑み、カラープルーフにおいて印刷物に対する色調の相違を補正できるようにしたカラープルーフ作成方法及びプログラムを提供することを目的とする。
【課題を解決するための手段】
【０００５】
上記目的を達成するために、本発明によるカラープルーフ作成方法は、印刷物の校正のためのカラープルーフを作成する方法であって、連続する色データの中に、別の色データまたは白地が存在する場合、前記別の色の部分または前記白地の部分に対して更に別の色を着色することで前記カラープルーフの色調を補正することを特徴とする。
【０００６】
このカラープルーフ作成方法によれば、連続する同色の領域内に別の色または白地の部分がある場合、その部分に新たに色を与えることで、カラープルーフの色調を補正できる。その別の色または白地の部分は、その周囲の領域の色の影響を受けて色調が変化しても、別の色を着色することでカラープルーフの色調が補正されるのである。
【０００７】
本発明による別のカラープルーフ作成方法は、網点画像データに基づいて記録媒体に露光することでカラープルーフを作成する方法であって、前記網点画像データにおいて同色Ａの領域を検出するステップと、前記同色Ａの領域内の別の色Ｂの部分を検出するステップと、前記色Ａと前記色Ｂとに基づいて前記色Ｂの部分に着色する更に別の色Ｃを決定するステップと、前記色Ｂの部分に前記色Ｃを着色するように前記記録媒体を露光するステップと、を含むことを特徴とする。
【０００８】
このカラープルーフ作成方法によれば、検出された連続する同色Ａの領域内に別の色Ｂ（白地も含む）の部分が検出された場合、その部分に新たに色Ｃを与えるように露光することで、カラープルーフの色調を補正できる。その別の色Ｂ（または白地）の部分は、その周囲の領域の色Ａの影響を受けて色調が変化しても、別の色Ｃを着色することでカラープルーフの色調が補正されるのである。
【０００９】
上記カラープルーフ作成方法において前記色Ｃを各種の色Ａと各種の色Ｂとの各関係毎に予め実験等により決定しておくことが好ましい。
【００１０】
前記カラープルーフの作成は、前記網点画像データに基づいてＣ、Ｍ、Ｙ、Ｋの各色版毎に面順次露光することで行うか、または、Ｃ、Ｍ、Ｙ、Ｋの各色版の網点画像データに基づいて複数の光源によりほぼ同時に露光することで行うことができる。
【００１１】
本発明によるプログラムは、網点画像データに基づいて記録媒体に露光することでカラープルーフを作成する画像記録装置が備えるコンピュータのためのプログラムであって、前記網点画像データにおいて同色Ａの領域を検出するステップと、前記同色Ａの領域内で別の色Ｂの部分を検出するステップと、前記色Ａと前記色Ｂとに基づいて前記色Ｂの部分に着色する更に別の色Ｃを決定するステップと、前記色Ｂの部分に前記色Ｃを着色するように前記記録媒体を露光するステップと、を前記コンピュータに実行させることを特徴とする。
【００１２】
このプログラムによれば、画像記録装置側において、検出された連続する同色Ａ（白地も含む）の領域内に別の色Ｂ（白地も含む）の部分が検出された場合、その部分に新たに色Ｃを与えるように露光することで、カラープルーフの色調を補正できる。
【００１３】
本発明による別のプログラムは、入力画像データに基づいてカラープルーフ作成のための網点画像データを生成するコンピュータのためのプログラムであって、前記網点画像データを生成する際に同色Ａの領域を検出するステップと、前記同色Ａの領域内で別の色Ｂの部分を検出するステップと、前記色Ａと前記色Ｂとに基づいて前記色Ｂの部分に着色する更に別の色Ｃを決定するステップと、前記色Ｂの部分に更に別の色Ｃを着色するように前記網点画像データを生成するステップと、前記網点画像データを画像記録装置に出力するステップと、を前記コンピュータに実行させることを特徴とする。
【００１４】
このプログラムによれば、画像記録装置の前段側のコンピュータににおいて、検出された連続する同色Ａの領域内に別の色Ｂ（白地も含む）の部分が検出された場合、その部分に新たに色Ｃを与えるように露光することで、カラープルーフの色調を補正できる。
【発明の効果】
【００１５】
本発明のカラープルーフ作成方法及びプログラムによれば、カラープルーフにおいて印刷物に対する色調の相違を補正できる。特に、その別の色または白地の部分は、その周囲の領域の色の影響を受けて色調が変化しても、別の色を着色することでカラープルーフの色調が補正される。
【発明を実施するための最良の形態】
【００１６】
以下、本発明を実施するための最良の形態について図面を用いて説明する。図１は本実施の形態によるカラープルーフ作成システムを含む印刷システムの構成例を概略的に示すブロック図である。
【００１７】
図１に示すように、印刷システムは、印刷工場のクライアント端末１からＰＳ(PostScript)データ等の画像データが画像処理装置であるＲＩＰ(Raster Image Processor)２に入力し、ＲＩＰ２はＰＳデータをラスター・イメージに変換処理し、ＲＩＰ２でラスター・イメージ変換処理されたＲＩＰ済みデータがデジタルで直接印刷用の原版を作成するための装置であるＣＴＰ（コンピュータツウプレート）３に送られる一方、カラープルーフ作成のための制御装置１０に送られ、２値の網点画像データを生成し、この網点画像データに基づいて画像記録装置１１でカラープループを作成するように構成されている。
【００１８】
図１の制御装置１０及び画像記録装置１１によりプルーフ作成システムが構成され、このプルーフ作成システムにより印刷工場における印刷の際に印刷出力対象の絵柄、色調、文章、文字等の確認を行うためのカラープルーフ（校正用サンプル）を作成し出力する。このカラープルーフで色調やモアレ・ムラ等を確認し、図１のＣＴＰ３で原版を作成してから印刷機で印刷工程を実行する。
【００１９】
図２はプルーフ作成システムを構成する図１の制御装置及び画像記録装置の要部を示すブロック図である。
【００２０】
図２に示すように、図１の制御装置１０は、図１のＲＩＰ２からＲＩＰ済み画像データが入力する画像データＩ／Ｆである画像データ入力部２１と、入力した画像データの画像変換を行うルックアップテーブル（ＬＵＴ）２２と、画像変換された画像データの網点化処理を行う網点処理部２３と、ＬＵＴ２２と網点処理部２３等の制御を行う中央演算装置（ＣＰＵ）２４と、を備える。
【００２１】
また、図２の画像記録装置１１は、網点処理部２３からの２値の網点画像データが入力する画像データＩ／Ｆである網点画像データ入力部３１と、網点画像データにおいて同色Ａの領域を検出しかつその同色Ａの領域内の別の色Ｂの部分を検出するために網点のエッジを検出するエッジ検出部３２と、カラープルーフを出力するように記録媒体に露光を行う露光部３５と、網点画像データに基づいて露光部３５に対し画像の濃度設定を行うためのルックアップテーブル３３と、エッジ検出部３２とルックアップテーブル３３等の制御を行う中央演算装置（ＣＰＵ）３４と、を備える。
【００２２】
エッジ検出部３２は、例えば、図３のように、３×３のマスクにより注目画素ｇ１に対しその周囲の８つの境界画素（エッジ）ｇ２乃至ｇ９について色付きの有無を検出することで網点画像データにおける網点のエッジを検出する。同様にして、注目画素ｇ１に対し境界画素ｇ２乃至ｇ９が同色か否かを検出し、注目画素を順々に変えることで網点画像データにおける網点の全画素について同色領域の検出を行い、次に、同色Ａ（白地も含む）の領域を検出したとき、その同色Ａの領域内の別の色Ｂの部分を同様にして検出する。別の色Ｂの部分が白色である場合も、別の色として検出する。
【００２３】
ＣＰＵ３４は、エッジ検出部３２による同色Ａの領域の検出及び同色Ａの領域内の別の色Ｂ（白地も含む）の部分の検出結果に基づいて、別の色Ｂの部分に新たに色Ｃを与えるように露光するためにＬＵＴを書き換えてＬＵＴ３３に設定し、別の版の画像データを生成し、この画像データに基づいて露光部３５が露光を行う。
【００２４】
各種の色Ａと各種の色Ｂとの各関係毎に新たに着色する色Ｃがそれぞれ予め決められており、この関係に基づいてＣＰＵ３４は必要に応じてＬＵＴ３３を書き換えて設定する。
【００２５】
例えば、同色Ａが黄色（Ｙ）であり、その同色Ａの領域内の別の色Ｂが白地部分であるとき、その白地部分が黄色がかって見える場合は、新たな色Ｃとして黄色を吸収するような色、例えばマゼンダ（Ｍ）を与えるようにＬＵＴを書き換える。
【００２６】
また、例えば、図４（ａ）のように、白地（同色Ａ）の領域ａ内に赤（別の色Ｂ）の画素ｂが面積率１％で存在する場合、白地は、赤の影響をさほど受けないが、図４（ｂ）のように、白地の領域ａと赤の画素ｂとが面積率５０％で存在すると、白地に赤の影響が出始め、図４（ｃ）のように、赤の領域ａ内に白地の画素ｂが面積率９９％で存在するようになると、白地の画素ｂは赤の影響に赤っぽく見えるので、新たな色Ｃとして赤色を吸収するような色、例えば緑（Ｇ）を与える。
【００２７】
なお、新たに着色する色Ｃは、各色の分光における反射と吸収の関係から決めることができるが、記録媒体の地の色合いなどとも関係するので、記録媒体などの種類毎に予め実験的に決定しておくことが望ましい。
【００２８】
また、記録媒体が銀塩カラー感光材料である場合、露光部３５はＣ、Ｍ、Ｙ、Ｋの各色版の画像データにより波長の異なる複数の光源によってＲＧＢの各光ビームで銀塩カラー感光材料を露光し感光させるように構成され、ＬＵＴ３３は各光源に露光量を設定するように構成される。かかる画像記録装置は、例えば、上記特許文献１（特開平１１−２０５６２２号公報）で本出願人が先に提案したカラープルーフ作成装置から構成できる。
【００２９】
また、画像記録装置は、順次、ドナーシートを受像シート上に重ね合わせ、重ね合わせた状態で、Ｃ、Ｍ、Ｙ、Ｋの各色版の画像データ毎に光ビームを照射することにより、ドナーシートからのインクを受像シートに転写し、光ビームを照射されたドナーシートを排出するようにして面順次露光を行い、受像シートに画像を形成するように構成してもよく、例えば、上記特許文献２（特開平１０−２６４４６３）で本出願人が提案した画像記録装置から構成できる。
【００３０】
次に、図２のカラープルーフ作成システムの動作について図５のフローチャートを参照して説明する。
【００３１】
最初に、図２の制御装置１０で生成し網点画像データ入力部３１を介して入力した網点画像データに基づいて画像記録装置１１でカラープルーフを作成し、このカラープルーフを目視検査し（Ｓ０１）、例えば、色つき領域で包囲された白地の部分や中間調の色部分が包囲した色の影響が出ていないか確認する。
【００３２】
その結果、白地の部分や中間調の色部分の色調の補正が必要と判断した場合は（Ｓ０２）、エッジ検出部３２で入力した網点画像データについて同色Ａの領域を検出し（Ｓ０３）、次に、その同色Ａの領域内の別の色Ｂの部分を検出する（Ｓ０４）。
【００３３】
次に、色Ａと色Ｂとの関係から別の色Ｂの部分に着色する色Ｃを決定し（Ｓ０５）、その着色が行われるように図２のＬＵＴ３３を書き換えてＬＵＴを設定する（Ｓ０６）。
【００３４】
次に、網点画像データに基づいてその書き換えられたＬＵＴ３３で得た露光量で記録媒体を露光することでカラープルーフを得る（Ｓ０７）。
【００３５】
以上のようにして、制御装置１０から入力した網点画像データから連続する同色Ａの領域を検出し、その領域中に別の色Ｂ（または白地）が存在する部分を検出し、その部分に新たに色Ｃを与えることで、カラープルーフの色調を補正できる。その別の色Ｂ（または白地）の部分が、その周囲の領域の色Ａの影響を受けて色調が変化しても、別の色Ｃを着色することでカラープルーフの色調が補正される。このため、画像記録装置１１で作成したカラープルーフは、実際の印刷物に色調をより近づけることができる。
【００３６】
特に、同色Ａの領域が濃い色であり、別の色Ｂの部分が白地であったり薄い色であるときに、別の色Ｂの部分が濃い色の同色Ａの影響を受けるのであるが、色Ａを吸収するような色Ｃを色Ｂの部分に与えることで、かかる影響を排除でき、カラープルーフの色調を補正できる。
【００３７】
なお、図５のような各ステップを実行するためのプログラムが図２の画像記録装置１１のコンピュータに格納されており、かかるプログラムが装置作動時に読み出されて各ステップを実行させる。
【００３８】
上述のカラープルーフの色調補正は、画像記録装置１１側で行ったが、網点画像データを生成する制御装置１０側で行ってもよい。即ち、図６のように、制御装置１０に、入力した画像データについて図２のエッジ検出部３２と同様にしてエッジ検出を行うエッジ検出部２５を設ける。
【００３９】
図６のＣＰＵ２４は、エッジ検出部２５による同色Ａの領域の検出及び同色Ａの領域内の別の色Ｂ（白地も含む）の部分の検出結果に基づいて、別の色Ｂの部分に新たに色Ｃを与えるように露光するためにＬＵＴを書き換えてＬＵＴ２２に設定し、別の版の画像データを生成し、この別の版の画像データに基づいて網点処理部２３で網点画像データを生成する。
【００４０】
次に、図６のカラープルーフ作成システムの動作について図７のフローチャートを参照して説明する。
【００４１】
最初に、図６の制御装置１０でエッジ検出なしで生成した網点画像データに基づいて画像記録装置１１でカラープルーフを作成し、このカラープルーフを目視検査し（Ｓ１１）、例えば、色つき領域で包囲された白地の部分や中間調の色部分が包囲した色の影響が出ていないか確認する。
【００４２】
その結果、白地の部分や中間調の色部分の色調の補正が必要と判断した場合は（Ｓ１２）、制御装置１０においてエッジ検出部２５で入力した画像データについて同色Ａの領域を検出し（Ｓ１３）、次に、その同色Ａの領域内の別の色Ｂの部分を検出する（Ｓ１４）。
【００４３】
次に、色Ａと色Ｂとの関係から別の色Ｂの部分に着色する色Ｃを決定し（Ｓ１５）、その着色が行われるように図６のＬＵＴ２２を書き換えてＬＵＴを設定する（Ｓ１６）。
【００４４】
次に、ＬＵＴ２２からの画像データに基づいて網点処理部２３で網点処理を行い網点画像データを生成し（Ｓ１７）、画像記録装置１１に出力する（Ｓ１８）。
【００４５】
次に、制御装置１０から出力された網点画像データに基づいて画像記録装置１１で記録媒体を露光することでカラープルーフを得る（Ｓ１９）。
【００４６】
以上のようにして、制御装置１０に入力した画像データから連続する同色Ａの領域を検出し、その領域中に別の色Ｂ（または白地）が存在する部分を検出し、その部分に新たに色Ｃを与えるような網点画像データを生成することで、カラープルーフの色調を補正できる。その別の色Ｂ（または白地）の部分が、その周囲の領域の色Ａの影響を受けて色調が変化しても、別の色Ｃを着色することでカラープルーフの色調が補正される。このため、画像記録装置１１で作成したカラープルーフは、実際の印刷物に色調をより近づけることができる。
【００４７】
なお、図７のような各ステップを実行するためのプログラムが図６の制御装置１０のコンピュータに格納されており、かかるプログラムが装置作動時に読み出されて各ステップを実行させる。
【００４８】
以上のように本発明を実施するための最良の形態について説明したが、本発明はこれらに限定されるものではなく、本発明の技術的思想の範囲内で各種の変形が可能である。例えば、図１のようにクライアント端末１から直接にＰＳデータを制御装置１０に入力し、制御装置１０においてＰＳデータのラスター・イメージ変換処理を行うようにしてもよい。
【００４９】
また、図１，図２の制御装置１０に入力する画像データは、各種のフォーマットの画像データであってよく、例えば、ベクトル系としては、ＰＳ(PostScript)データ以外に、ＰＤＦ、ＥＰＳ等であってもよく、また、ラスター系としてはＴＩＦＦ，ＴＩＦＦ／ＩＴ、その他専用フォーマット等であってよく、更に、２値データとしては、ＴＩＦＦbitmap、その他専用フォーマット等であってよい。
【図面の簡単な説明】
【００５０】
【図１】本実施の形態によるカラープルーフ作成システムを含む印刷システムの構成例を概略的に示すブロック図である。
【図２】図１のプルーフ作成システムを構成する制御装置及び画像記録装置の要部を示すブロック図である。
【図３】図２のエッジ検出部のマスクによる検出動作を説明するための図である。
【図４】本実施の形態における新たな色Ｃの着色の効果を説明するために網点面積率が１％（ａ）、５０％（ｂ）、９９％（ｃ）の各網点を模式的に示す図である。
【図５】図２のカラープルーフ作成システムの動作を説明するためのフローチャートである。
【図６】図１のプルーフ作成システムを構成する別の制御装置及び画像記録装置の要部を示すブロック図である。
【図７】図６の制御装置及び画像記録装置によるカラープルーフ作成システムの動作を説明するためのフローチャートである。
【符号の説明】
【００５１】
１０ 制御装置
１１ 画像記録装置
２１ 画像データ入力部
２２ ＬＵＴ
２３ 網点処理部
２４ ＣＰＵ 
２５ エッジ検出部
３１ 網点画像データ入力部
３２ エッジ検出部
３３ ルックアップテーブル、ＬＵＴ
３４ ＣＰＵ
３５ 露光部
【図１】
2005091859.tif 000003
【図２】
2005091859.tif 000004
【図３】
2005091859.tif 000005
【図４】
2005091859.tif 000006
【図５】
2005091859.tif 000007
【図６】
2005091859.tif 000008
【図７】
2005091859.tif 000009